(57)【要約】      （修正有）【課題】標的が振動したり歪んだりした場合であっても打球的中表示装置が誤作動しないようにする。【解決手段】打球的中表示装置１１に盤状の標的１２と、該標的の背面に設けられた音センサー１３と、打球が該標的に当たった際に発生する音を該音センサーが検知すると点滅するＬＥＤランプを備える。かかる構造によれば、音が発生しない限り音センサーは反応しないため、標的が振動したり歪んだりした場合であっても誤作動せず、真の打球的中のみを表示して練習意欲を高揚させることができる。【選択図】図４
0003115074.tif 000002
【実用新案登録請求の範囲】
【請求項１】
盤状の標的と、該標的の背面に設けられた音センサーと、打球が該標的に当たった際に発生する音を該音センサーが検知すると点滅するＬＥＤランプを備えたことを特徴とする打球的中表示装置。
【請求項２】
該ＬＥＤランプがツリー状の取付台に配置された請求項１記載の打球的中表示装置。
【請求項３】
該ＬＥＤランプが該標的の外周に一定間隔で配置された請求項１記載の打球的中表示装置。
【請求項４】
バッティングセンターに取り付けられた請求項３記載の打球的中表示装置。
【請求項５】
該標的をゴルフ練習場用カップの中に備えた請求項１記載の打球的中表示装置。
【請求項６】
該ＬＥＤランプが打席からゴルフ練習場用カップまでの距離を表示するように構成される請求項５記載の打球的中表示装置。
【考案の詳細な説明】
【技術分野】
【０００１】
本発明はバッティングセンターやゴルフ練習場等に設けた標的に打球が当たると的中を表示して練習意欲を高める打球的中表示装置に関するものである。
【背景技術】
【０００２】
ネットで囲まれた屋外のゴルフ練習場には、打席から最も遠いネットに標的が取り付けられている場合がある。通常このような屋外のゴルフ練習場は打席から標的までの距離が１００ｍ前後あるため、打球が標的に当たったか否がわかりにくい場合が多い。
【０００３】
また従来、標的に振動センサーを取り付け、標的に打球が当たった際の振動を感知して打球の的中を表示する装置が提案されている（例えば、特許文献１参照）。
【特許文献１】特開２００１−１７５９９号公報
【考案の開示】
【考案が解決しようとする課題】
【０００４】
ところがこの装置は、打席と標的との距離が数メートル程度の屋内のゴルフ練習場に使用する場合は有効であるが、打席と標的との距離が１００ｍ前後あるような屋外のゴルフ練習場に使用する場合は有効ではないという問題があった。これは、屋外のゴルフ練習場の標的は大きさが３ｍ前後にもなり、このような標的に振動センサーを用いると、風や自重等による振動や歪みに振動センサーが反応してしまうからである。つまり、打球が標的に当たっていないにもかかわらず、的中表示をしてしまうのである。また、振動センサーの代わりにリミットスイッチ、ひずみセンサー、光センサー等を用いても、同様の理由から誤作動を起こしてしまう。
【０００５】
本発明では、標的が振動したり歪んだりした場合であっても誤作動しない打球的中表示装置を提供することを目的とする。
【課題を解決するための手段】
【０００６】
上記課題を解決するため、本願発明にかかる打球的中表示装置は、盤状の標的と、該標的の背面に設けられた音センサーと、打球が該標的に当たった際に発生する音を該音センサーが検知すると点滅するＬＥＤランプを備える。かかる構造によれば、標的が風や自重により振動したり歪んだりした場合でも音センサーは反応しないため、打球的中表示装置が誤作動することはない。
【０００７】
上記打球的中表示装置において、該ＬＥＤランプをツリー状の取付台に配置してもよい。これにより打球が標的に的中した場合にはＬＥＤランプが点滅し、プレイヤーは的中をはっきりと確認することができる。
【０００８】
また、上記打球的中表示装置において、該標的の外周に一定間隔で、該ＬＥＤランプを配置してもよいし、これをバッティングセンターに設置してもよい。標的の外周にＬＥＤランプ配置することにより、標的自体もはっきりと視認することができる。
【０００９】
また、上記打球的中表示装置において、該標的をゴルフ練習場用カップの中に備えるようにしてもよいし、該ＬＥＤランプを打席からゴルフ練習場用カップまでの距離を表示するように構成してもよい。これにより、打球が標的に当たった場合と同様、打球がゴルフ練習場用カップに入った場合でもＬＥＤランプが点滅して、確実にプレイヤーは確認することができる。
【考案の効果】
【００１０】
本発明によれば、標的が振動したり歪んだりした場合であっても誤作動せず、真の打球的中のみを表示して練習意欲を高揚させる打球的中表示装置を提供できる。
【考案を実施するための最良の形態】
【００１１】
以下、本願発明を実施するための最良の形態について、図面を参照しつつ説明する。
【００１２】
まず、図１から図３を参照しつつ、本願発明の一実施形態たる打球的中表示装置１について説明する。図１は音センサー３が取り付けられた標的２の図であり、（ａ）はその前面図、（ｂ）はその側面図、（ｃ）はその背面図である。図２は、ツリー状の取付台６に配置されたＬＥＤランプ４の前面図である。図３は、ネットに囲まれた屋外のゴルフ練習場７の鳥瞰図である。
【００１３】
打球的中表示装置１は、標的２と、音センサー３と、ＬＥＤランプ４とを備える。
【００１４】
図１のように、標的２は円盤状である。標的２は、円盤状のアルミ盤２ａの表面がゴムマット２ｂで覆われたものである。標的２の外周には標的２が見やすいように蛍光テープ５が貼られている。音センサー３は標的２の背面に、標的２と同心円の円上に９０度の間隔で４箇所に配置されている。本標的２の直径は３.６ｍである。
【００１５】
図２のように、ＬＥＤランプ４はツリー状の取付台６に配置されている。ＬＥＤランプ４は直径が６７ｍｍの一般に使用されているＬＥＤランプよりも明るい２.３Ｗ型が使用されている。
【００１６】
図３のように、音センサー３が配置された標的２は、ゴルフ練習場７の打席８から最も遠いネット９の高所に取り付けられる。また、ＬＥＤランプ４が配置されたツリー状の取付台６は標的２の付近でゴルフ練習場７の外側に設置される。
【００１７】
通常時はＬＥＤランプ４が点灯したままである。プレイヤーは標的２に向かって打球を放つ。打球が標的２に当たると標的２には打球の衝撃音が発生する。この衝撃音を音センサー３が検知すると、予め定められたパターンでＬＥＤランプ４が点滅する。これにより、プレイヤーは自ら放った打球が標的２に当たったか否かを判断する事ができ、練習意欲を高めることができる。
【００１８】
ゴルフ練習場の標的の大きさは数メートルにも及ぶことから風や自重等の影響を受けやすく、標的が振動したり変形したりする。このような標的に振動センサー等を使用すると、風等による標的の振動や変形に敏感に反応してしまい、誤動作を起こしてしまう。つまり、標的に振動センサー等を使用すると、打球が標的に的中していないにもかかわらず、的中の表示をしてしまう場合がある。一方、標的に音センサーを用いた場合は、標的が変形した場合であっても、音が発生しない限り音センサーは反応しないため、標的が風や自重等により振動したり歪んだりしても誤作動は起きない。よって、本実施形態にかかる打球的中表示装置１は信頼性の高い打球的中表示装置といえる。
【００１９】
また、ＬＥＤランプは通常のランプに比べ平均で１０倍以上寿命が長く、消費電力も少ないため経済的である。さらに、通常のランプに比べ光の直進性があるため、ゴルフ練習場の立地条件等の理由からランプの光の拡散を押さえたい場合にも有効である。
【００２０】
なお、ＬＥＤランプ点滅の際には、ＬＥＤランプ点滅に伴って音を発生させてもよい。また、ＬＥＤランプはツリー状以外の形状を有する取付台に配置してもよい。例えば何らかの文字やキャラクターをかたどった取付台に配置してもよい。
【００２１】
次に図４及び図５を参照しつつ、本願発明の他の実施形態たる打球的中表示装置１１について説明する。図４は、ＬＥＤランプ１４が標的１２の外周に一定間隔で配置された打球的中表示装置１１の図であり、（ａ）はその前面図、（ｂ）はその側面図、（ｃ）はその背面図である。図５は、ＬＥＤランプ１４の標的１２への置取り付け状態図である。
【００２２】
なお、本実施形態にかかる打球的中表示装置１１は、図１の標的２が取り付けられるゴルフ練習場よりも狭いゴルフ練習場やバッティングセンター等に設置される。
【００２３】
打球的中表示装置１１は、標的１２と、音センサー１３と、ＬＥＤランプ１４とを備える。図４のように、標的１２は円盤状である。標的１２は、円盤状の木製合板１２ａの表面がゴムマット１２ｂで覆われたものである。ただし、標的１２が、雨にさらされるような場所に設置される場合は、木製合板１２ａを耐食性のあるステンレス等の金属としてもよい。標的１２の外周には穴１５が設けられている。標的１２の直径は０.６ｍであって、穴１５は直径が５０ｍｍである。穴１５は、標的１２と同心円の円上に３０度の間隔で１２箇所に設けられている。穴１５にはステンレス製の網１６が張られている。また、音センサー１３は標的部背面の中心に１個所取り付けられている。
【００２４】
図５のように、ＬＥＤランプ１４はソケット１８と一体化した筒状のカバー１７に挿入され、その状態で各穴１５の背面側に取り付けられている。ＬＥＤランプ１４は、図１のＬＥＤランプ４よりも小さい１Ｗ型を使用する。
【００２５】
通常時はＬＥＤランプ１４が点灯したままである。ＬＥＤランプ１４は標的１２の穴１５から光を発する。プレイヤーは標的１２に向かってボールを打つ。打球が標的１２に当たると標的１２には打球の衝撃音が発生する。この衝撃音を音センサー１３が検知すると、予め定められたパターンでＬＥＤランプ１４が点滅する。これにより、プレイヤーは自ら打ったボールが標的１２に当たったか否かを判断することができる。その結果、練習意欲を高めることができる。
【００２６】
本実施形態に係る打球的中表示装置１１は、標的部１２の外周にＬＥＤランプ１４が点灯している。そのため、夜間であっても標的１２をはっきりと視認することができる。なお、標的部１２の穴１５の表面はステンレス製の網１６で覆われているため、ゴルフボールが穴１５を通過してＬＥＤランプ１４を壊すようなことはない。
【００２７】
打球的中表示装置１１は、標的１２と、音センサー１３と、ＬＥＤランプ１４とが一体となっている。そのため、本装置を設置するだけで使用でき、大掛かりな工事を必要としない。よって、既存のゴルフ練習場等に簡単に設置することができる。
【００２８】
次に、図３、図６及び図７を参照しつつ、本願発明の他の実施形態たる打球的中表示装置２１について説明する。図３は、ネットに囲まれた屋外のゴルフ練習場７の鳥瞰図である。図６は打球的中表示装置２１を含むゴルフ練習場用グリーンの断面図である。図７は、図６のゴルフ練習場用カップ３４付近の拡大図である。打球的中表示装置２１は、標的２２と、音センサー２３と、ＬＥＤランプ２４とを備える。
【００２９】
図６及び図７のように、標的２２は、ゴルフ練習場用カップ３４の中に備えられている。標的２２は円盤状であり、その大きさはゴルフ練習場用カップ３４の径よりわずかに小さく、ゴルフ練習場用カップ３４と標的２２との隙間からゴルフボールが落ちないようにする。なお、ゴルフ練習場用カップ３４の大きさは打席８からの距離によって異なる。例えば、ゴルフ練習場用カップ３４の直径は、打席８からゴルフ練習場用カップ３４までの距離が７０ヤードの場合は約０.６ｍであり、打席８からゴルフ練習場用カップ３４までの距離が１００ヤードの場合は約０.８ｍである。
【００３０】
標的２２の下方には基礎台２５があり、標的２２は基礎台２５上の複数のスプリング２６で支えられている。標的２２の背面には複数の長尺ボルト２７が結合されている。基礎台２５には長尺ボルト２７に対応する位置に長尺ボルト２７の径よりも大きく、ナット２８の径よりも小さい穴が施されている。長尺ボルト２７はスプリング２６と基礎台２５の穴とを通り基礎台２５の背面側でナット２８と締結されている。スプリング２６は標的２２と基礎台２５の距離を広げる方向に力が働くのに対し、長尺ボルト２７とナット２８は、スプリング２６が伸びないようにするストッパーの役割を果す。なお、標的２２の中央部にはフラッグ３５が通るよう穴２９が設けられており、基礎台２５の中央部にはフラッグを立てるための筒３０が設けられている。また、ゴルフ練習場用カップ３４に入った雨が排出されるようドレン３６が基礎台２５の下に設けられている。
【００３１】
音センサー２３は標的２２の背面の中心付近に１箇所取り付けられている。また、ＬＥＤランプ２４は、ゴルフ練習場用カップ３４付近に設けられた取付台３３に配置されている。ＬＥＤランプ２４は、打席８からゴルフ練習場用カップ３４までの距離を表示する。例えば、打席８からカップ３４までの距離が１００ヤードであれば、「１００」の文字になるようにＬＥＤランプ２４は配列される。なお、取付台３３には、ＬＥＤランプ２４に打球が当たって壊れないように網状のカバー３７が取り付けられている。
【００３２】
通常時はＬＥＤランプ２４が点灯したままである。プレイヤーの放った打球がゴルフ練習場用カップ３４に入り、ゴルフ練習場用カップ３４の中に備えられた標的２２に当たると、標的２２から発生する打球の衝撃音を音センサー２３が検知する。音センサー２３が衝撃音を検知すると、ＬＥＤランプ２４は予め定められたパターンで点滅する。プレイヤーはＬＥＤランプ２４の点滅を確認し、自ら放った打球がゴルフ練習場用カップ３４に入ったか否かを判断することができる。なお、ＬＥＤランプ２４の点滅に伴って音を発生させてもよい。
【００３３】
本実施例にかかる打球的中表示装置２１は音センサー２３を用いているため、リミットスイッチ等を用いた場合に比べ誤作動が少なくなる。さらに告知手段はＬＥＤランプ２４を利用しているため、通常のランプに比べメンテナンスが容易で、かつ、経済的、そして光の拡散も抑えることができる。
【００３４】
標的２２は上記のような構造でゴルフ練習場用カップ３４の中に備えられているため、ナット２６の締め付け具合によって標的２２を上下させることができる。また、長尺ボルト２７、ナット２８およびスプリング２６は複数備えられていることから、それぞれのナット２８の締め付け具合を調整することにより、標的２２の高さのみならず傾きを調整することもできる。これによって、あらかじめ設けられたボール排出溝３１の入口３２にゴルフ練習場用カップ３４に入ったボールが導かれるよう標的２２の位置や傾きを調整することができる。また、スプリング２６はボールの衝撃を吸収することができるため、ボールが直接ゴルフ練習場用カップ３４に入った場合に外へ飛び出すのを防止することができる。
【００３５】
なお、打球的中表示装置２１のみならず、図６中のグリーン、ボール排出溝３１、ドレン３６等を含む全てを一体として１つのユニットとしてもよい。
【産業上の利用可能性】
【００３６】
本願発明によれば、標的が振動したり歪んだりした場合であっても誤作動しない打球的中表示装置を提供できる。よって、ゴルフ練習機器の技術分野において、特に屋外のゴルフ練習場に使用する打球的中表示装置の技術分野において有益である。
【図面の簡単な説明】
【００３７】
【図１】図１は、音センサーが取り付けられた標的の図であり、（ａ）はその前面図、（ｂ）はその側面図、（ｃ）はその背面図である。
【図２】図２は、ツリー状の取付台に配置されたＬＥＤランプの前面図である。
【図３】図３は、ネットに囲まれた屋外のゴルフ練習場の鳥瞰図である。
【図４】図４は、本願発明にかかる打球的中表示装置の図であり、（ａ）はその前面図、（ｂ）はその側面図、（ｃ）はその背面図である。
【図５】図５は、ＬＥＤランプの標的への置取り付け状態図である。
【図６】図６は、打球的中表示装置を含むゴルフ練習場用グリーンの断面図である。
【図７】図７は、図６のゴルフ練習場用カップ付近の拡大図である。
【符号の説明】
【００３８】
１、１１、２１  打球的中表示装置
２、１２、２２  標的
３、１３、２３  音センサー
４、１４、２４  ＬＥＤランプ
６、３３  取付台
７  ゴルフ練習場
３４  ゴルフ練習場用カップ
【図１】
0003115074.tif 000003
【図２】
0003115074.tif 000004
【図３】
0003115074.tif 000005
【図４】
0003115074.tif 000006
【図５】
0003115074.tif 000007
【図６】
0003115074.tif 000008
【図７】
0003115074.tif 000009